(57)【特許請求の範囲】
【請求項１】
オークションに関連する取引をネットワークに接続されたサーバが支援する方法であって、
サーバが、
オークション会場に設置されるオークション端末から通知される特定の商品のオークション結果の情報を受信すると、購買者端末から通知される事前入札の情報を格納した事前入札データベースを検索して、入札額が上位所定数にある非落札者の入札データを抽出し、抽出した入札データの入札額の最高額と最低額とによって定まる価格範囲の情報を該特定の商品の情報と共に出品者端末へ公開情報として送信するステップと、
前記サーバから送信された前記公開情報を前記出品者端末によって認識した出品者が、該公開情報における商品と同様な商品を、該公開情報における前記価格範囲にて売却余地があると考えた場合に該出品者端末を操作して送信する、出品者端末から送信される商品提供情報を受信すると、該商品提供情報を前記購買者端末へ送信するステップと、を実行する、
オンライン取引支援方法。
【請求項２】
前記商品提供情報を前記購買者端末へ送信するステップでは、入札額が高額な非落札者の購買者端末に優先して該商品提供情報を送信することを特徴とする請求項１記載のオンライン取引支援方法。
【請求項３】
オークションに関連する取引の支援をコンピュータに実行させるためのプログラムであって、
オークション会場に設置されるオークション端末から通知される特定の商品のオークション結果の情報を受信すると、購買者端末から通知される事前入札の情報を格納した事前入札データベースを検索して、入札額が上位所定数にある非落札者の入札データを抽出し、抽出した入札データの入札額の最高額と最低額とによって定まる価格範囲の情報を該特定の商品の情報と共に出品者端末へ公開情報として送信するステップと、
前記コンピュータから送信された前記公開情報を前記出品者端末によって認識した出品者が、該公開情報における商品と同様な商品を、該公開情報における前記価格範囲にて売却余地があると考えた場合に該出品者端末を操作して送信する、出品者端末から送信され
る商品提供情報を受信すると、該商品提供情報を前記購買者端末へ送信するステップと、をコンピュータに実行させるためのプログラム。
【請求項４】
オークションに関連する取引をネットワークに接続されたサーバが支援するシステムであって、
サーバが、
オークション会場に設置されるオークション端末から通知される特定の商品のオークション結果の情報を受信すると、購買者端末から通知される事前入札の情報を格納した事前入札データベースを検索して、入札額が上位所定数にある非落札者の入札データを抽出し、抽出した入札データの入札額の最高額と最低額とによって定まる価格範囲の情報を該特定の商品の情報と共に出品者端末へ公開情報として送信するステップと、
前記サーバから送信された前記公開情報を前記出品者端末によって認識した出品者が、該公開情報における商品と同様な商品を、該公開情報における前記価格範囲にて売却余地があると考えた場合に該出品者端末を操作して送信する、出品者端末から送信される商品提供情報を受信すると、該商品提供情報を前記購買者端末へ送信するステップと、を実行する、
オンライン取引支援システム。
【発明の詳細な説明】
【０００１】
【発明の属する技術分野】
本発明は、オンライン上でのオークションに関連する取引を支援する技術に関する。
【０００２】
【従来の技術】
従来、例えば中古自動車（中古車）等の競売、即ちオークションはオークション出品者がオークションに出品する中古車を所定のオークション会場に陸送等の輸送手段で持込み、そこでオークションにかけることが一般的であるが、例えば特開平１１−３２８２７１号公報記載の発明では、遠隔地に設けられた端末により通信回線を介して対象物（中古車）の情報を提供し、応札も通信回線を介して受け付けることにより、購買者がオークション会場に出向かずに競りに参加することのできるオークションシステムを提案している。
【０００３】
また、オンライン上で販売したい中古車を公開し、この公開された中古車の程度や販売価格等を購買者がオンライン上で確認して購入を申し込むオンライン取引も知られている。
【０００４】
【発明が解決しようとする課題】
ところで、オークションに際しては、例えば競り上げ方式のオークションの場合、一つの出品物（例えば中古車）に対して、どれ程参加者が多かったとしても、落札して出品物を得られるのは、最高応札価格をつけた一人（一機関）の参加者のみである。すなわち、二番手以降の応札価格を付けた参加者は、当該中古車を購買する意思が明確にあるにも拘わらず、そのオークションでは希望する中古車を得られない。そして、落札できなかった参加者は、同様の中古車（同一車種、同程度の年式等）を、他のオークション会場等で探し求めることとなる。
【０００５】
一方、オンライン取引を利用したオークションの手法として、オークションの開始前に、管理者（サーバ）が事前にオークション対象出品物の入札を受け付け、オークション中に、管理者が当該事前入札に基づき応札を行うことが考えられる。
この事前入札制度は、例えば、オークションの出品情報をサーバから会員端末に予め配信し、オークション開始よりも所定時間前までに、会員からの応札限度価格を含んだ事前入札情報をサーバが受け付ける。そして、サーバは、事前入札情報のなかから最高応札限度価格を選択して、この限度価格内にて、オークションが開始されると、リアルタイムにて応札を行う。すなわち、オークション会場における参加者の応札最高価格が、前記事前入札の応札限度価格未満であれば、事前入札者が落札できることとなる。而して、事前入札者は、オークションにリアルタイムに参加しなくても、希望する出品物を落札する機会を得られる。
【０００６】
しかし、このような事前入札制度においても、当該出品物を落札できるのは、オークション会場におけるリアルタイムの参加者よりも高額な応札限度価格にて事前入札した場合のみであり、さらには、事前入札者のなかで実質的にオークションに参加できるのは、最高応札限度価格にて事前入札した一人だけである。すなわち、その他の事前入札参加者は、当該出品物と同様な出品物を得たければ、他のオークション等にて出品される機会を待たなければならない。
【０００７】
本発明は前記事項に鑑みなされたものであり、オークションの実施にあたって得られた商品購入希望者の情報を有効に活用するオンライン取引支援方法、支援プログラム、支援システムを提供することを課題とする。
【０００８】
また、商品の流通を促進させるオンライン取引支援方法、支援プログラム、支援システムを提供することを課題とする。
【０００９】
【課題を解決するための手段】
本発明は、オークションに関連する取引をネットワークに接続されたサーバが支援する方法であって、サーバが、オークションの開始に先立って、オークション対象商品に対する応札限度価格及び参加者情報を含む入札情報を事前に受け付けるステップと、事前に受け付けた入札情報のなかから落札条件に最も適合する入札情報を抽出するステップと、オークションの実施に際して、前記落札条件に最も適合する入札情報をもって、応札限度価格の範囲内において応札するステップと、前記事前入札情報のうち落札不可であった入札情報及び前記対象商品に関する情報を公開情報としてネットワーク上に送信するステップと、を含むことを特徴とする。
【００１０】
前記入札情報を抽出するステップでは、前記落札条件に最も適合する入札情報として、最高応札限度価格を含む入札情報を抽出することができる。
前記公開情報は、落札不可であった入札情報のなかから抽出した最高応札限度価格と、前記対象商品に関する情報とすることができる。
【００１１】
また、前記公開情報は、落札不可であった入札情報の上位所定数の高額応札限度価格のうち最高額と最低額により設定される価格範囲情報を含むようにすることもできる。
【００１２】
さらに、前記公開情報に応じた商品提供情報を受信するステップと、受信した商品提供情報を、前記落札不可であった入札情報の申込み者側に送信するステップと、を含むことができる。
【００１３】
また、前記受信した商品提供情報を、前記落札不可であった入札情報の申込み者側に送信するステップでは、応札限度価格が低額であった申込者側よりも応札限度価格が高額であった申込者側に優先して送信することができる。
【００１４】
応札限度価格が高額であった事前入札情報に対応する申込者側からの購入申込み情報を、応札限度価格が低額であった事前入札情報に対応する申込者側からの購入申込み情報に優先して受け付けるステップを含むこともできる。
【００１５】
さらに、前記公開情報に応じた商品提供情報により特定される商品をオークションするために、前記サーバは、前記落札不可であった入札情報に対応する申込者側から、応札価格を含む申込情報を受け付けるステップと、受け付けた申込情報のうちの最高応札価格を前記落札不可であった入札情報の申込者側に公開するステップと、所定条件下における最高応札価格をもって当該商品を落札するステップと、を実行することを特徴とする。
【００１６】
前記商品が中古車であり、前記対象商品に関する情報が、メーカー名、型式、車名、グレード、形状、用途、外装色、カラーナンバー、内装色、車体番号、排気量、車検期間、走行距離、燃料、シフト、装備、納車可能日、セールスポイント、写真、検査証のうち少なくとも一つを有するオンライン取引支援方法とすることもできる。
【００１７】
また、前記参加者情報は、登録番号、所在地、参加者名、のうち少なくとも一つを有するとよい。
また、本発明は、オークションに関連する取引の支援をコンピュータに実行させるためのプログラムであって、オークションの開始に先立って、オークション対象商品に対する応札限度価格及び参加者情報を含む入札情報を事前に受け付けるステップと、事前に受け付けた入札情報のなかから落札条件に最も適合する入札情報を抽出するステップと、オークションの実施に際して、前記落札条件に最も適合する入札情報をもって、応札限度価格の範囲内において応札するステップと、前記事前入札情報のうち落札不可であった入札情報及び前記対象商品に関する情報を公開情報としてネットワーク上に送信するステップと、をコンピュータに実行させるためのプログラムとした。
【００１８】
さらに本発明は、オークションに関連する取引をネットワークに接続されたサーバが支援するシステムであって、サーバが、オークションの開始に先立って、オークション対象商品に対する応札限度価格及び参加者情報を含む入札情報を事前に受け付ける受信手段と、事前に受け付けた入札情報のなかから落札条件に最も適合する入札情報を抽出する抽出手段と、オークションの実施に際して、前記落札条件に最も適合する入札情報をもって、応札限度価格の範囲内において応札する応札手段と、前記事前入札情報のうち落札不可であった入札情報及び前記対象商品に関する情報を公開情報としてネットワーク上に送信する送信手段と、を備えることを特徴とするオンライン取引支援システムとした。
【００１９】
なお本発明は、以下の方法を含むことができる。すなわち、オークションに関連する取引をネットワークに接続されたサーバが支援する方法であって、サーバが、オークション対象商品に対する入札価格及び参加者情報を含む入札情報を受け付けるステップと、複数の入札情報のなかから落札条件に最も適合する入札情報をもって落札するステップと、落札不可であった入札情報を前記対象商品に関する情報と共にネットワーク上に送信するステップと、を含むことを特徴とするオンライン取引支援方法。
【００２０】
【発明の実施の形態】
以下、本発明の一実施の形態を説明する。
図１は、本発明の一実施形態である中古車のオンライン取引支援方法及び支援システムの全体構成を示す。
【００２１】
１は本システムを備えたサーバ、２は前記サーバ１に接続された公衆電話回線等の通信回線、３は本システムに対して出品を申し込む出品者の端末、４は本システムに対して購買を申し込む購買者の端末、５はリアルタイムに競りが行われるオークション会場に設置された端末である。なお、出品者としては、中古車販売業者、車両整備業者、一般ユーザ等を想定できる。また、購買者としても、中古車販売業者、車両整備業者、一般ユーザ等を想定できる。
【００２２】
サーバ１は、出品者端末３からの商品（中古車）売却の申し込みを受け付ける第１売却受付手段１ａや、前記商品の情報（車両情報）を入力する情報入力手段１ｂ、前記オークション端末５が設置されたオークション会場のうち、前記中古車を出品させるオークションを選択するオークション選択手段１ｃ、通信手段２を介して前記車両情報を購買者側に公開する購買者用情報公開手段１ｄ、この購買者用情報公開手段１ｄで公開された車両に対する事前入札を受け付ける事前入札受付手段１ｅ、前記車両情報や事前入札価格等の情報を記憶する情報記憶手段１ｇ、落札不可であった事前入札情報に基づく出品者（車両提供者）側への公開情報を公開する出品者用情報公開手段１ｈ、出品者用情報公開手段１ｈからの公開情報に応じた出品者からの車両提供（売却）の申込みを受け付ける第２売却受付手段１ｉ等を備えている。
【００２３】
ここで、サーバ１の具体的な構成を図２に示す。図２において、サーバ１は、マウス２２と、キーボード２１と、表示装置２０と、コンピュータ本体１０と、から構成されている。また、コンピュータ本体１０は、バスＢ１によって相互に接続されたマウスインタフェース１９、キーボードインタフェース１８、表示用メモリ１６、表示装置インタフェース１５、記憶装置インタフェース１３、メインメモリ１２、制御部１１、及び通信インタフェース１７と、記憶装置インタフェース１３を介してバスＢ１に接続された記憶装置１４と、から構成されている。また、マウス２２はマウスインタフェース１９を介して、キーボード２１はキーボードインタフェース１８を介して、表示装置２０は表示装置インタフェース１５を介して、夫々バスＢ１と接続されている。
【００２４】
マウス２２及びキーボード２１は、サーバ１を保守する作業者がデータの入力等をするための装置である。
表示装置２０は、キーボード２０等から入力された文字等を表示するための装置である。
【００２５】
コンピュータ本体１０は、プログラムの実行等を行うための装置である。
マウスインタフェース１９は、作業者から入力されたデータをマウス２２から受け取ってバスＢ１へ伝達する装置である。
【００２６】
キーボードインタフェース１８は、作業者から入力されたデータをキーボード２１から受け取ってバスＢ１へ伝達する装置である。
表示用メモリ１６は、ＲＡＭ（Ｒａｎｄｏｍ  Ａｃｃｅｓｓ  Ｍｅｍｏｒｙ）等で構成され、表示装置２０に表示する文字，画像等のデータを保持するためのメモリである。
【００２７】
表示装置インタフェース１５は、文字，画像等を表示装置２０に表示させるための装置である。
記憶装置１４は、制御部１１が処理するプログラム、車両情報データベース、事前入札データベース、非落札データベース等を記憶するハードディスク装置である。
【００２８】
この記憶装置１４が、情報記憶手段１ｇに相当する。
記憶装置インタフェース１３は、記憶装置１４へのデータの書き込みや、記憶装置１４からのデータの読み出しを行う装置である。
【００２９】
メインメモリ１２は、ＲＡＭ等で構成され、制御部１１の作業用に用いられるメモリである。
通信インタフェース１７は、バスＢ１からデータを受け取って公衆回線２へ送信し、公衆回線２からデータを受け取ってバスＢ１へ伝達するための装置である。
【００３０】
制御部１１は、ＣＰＵ（Ｃｅｎｔｒａｌ  Ｐｒｏｃｅｓｓｉｎｇ  Ｕｎｉｔ）等で構成され、表示用メモリ１６に文字，画像等のデータを書き込み、表示装置インタフェース１５に対して画面表示指示を行う。また、制御部１１は、記憶装置インタフェース１３に対して、記憶装置１４へのデータ書き込み指示、記憶装置１４からのデータ読み出し指示を行う。更に、制御部１１は、マウスインタフェース１９を介してマウス２２から入力データを受け取り、キーボードインタフェース１８を介してキーボード２１から入力データを受け取る。また、制御部１１は、通信インタフェース１７を介して公衆回線２からデータを受け取り、通信インタフェース１７を介して公衆回線２へデータを送信する。更に、制御部１１は、マウス２２及びキーボード２１から入力された文字等のデータの処理、表示装置２０に表示する画面データの処理を行う。この制御部１１がオークション選択手段１ｃに相当し、制御部１１と通信インタフェース１７とが第１売却受付手段１ａ、購買者用情報公開手段１ｄ、事前入札受付手段１ｅ、出品者用情報公開手段１ｈ、第２売却受付手段１ｉに相当する。
【００３１】
なお、出品者端末３と、購買者端末４も、サーバ１と同様の構成を備えている。そして、サーバ１と出品者端末３間は公衆回線２を介してデータの送受信を行えるとともに、サーバ１と購買者端末４間も公衆回線２を介してデータの送受信を行えるようになっている。
【００３２】
さらに、オークション会場に設置されるオークション端末５も、サーバ１と同様の構成を備えており、サーバ１とオークション端末５は、公衆回線２を介してデータの送受信が行えるようになっている。
【００３３】
オークション端末５には、サーバ１のオークション選択手段１ｃから通知される車両情報に基づいて競りを行うための管理装置（コンピュータ）がそれぞれ設けられており、この管理装置は、オークションの開催日等をサーバ１に対して開示するオークション情報開示手段５ａや、車両情報等の表示手段５ｂ、応札を受け付ける応札受付手段５ｃ、最高価格をつけた応札に対して商品を落札する落札手段５ｄを有している。
【００３４】
なお、オークション端末（管理装置）５の制御部が、オークション情報公開手段５ａ、応札受付手段５ｃ、落札手段５ｄに相当し、オークション端末５の表示装置が表示手段５ｂに相当する。
【００３５】
本システムでは、出品者及び購買者を予め会員登録しておき、会員制で行うのが望ましいが、住所・氏名や、クレジットカードの番号等の入力により、認証を行うことができれば、一般参加可能にしても良い。
【００３６】
次に、図４に基づき、本実施形態のオンライン取引支援方法及び支援システムの実行過程を、サーバ１における処理を中心に説明する。
【００３７】
〈出品の申込み〉
出品者は、出品者端末３から公衆電話回線２を介してサーバ１にアクセスし、会員番号等を入力して認証を行い、商品売却の申し込みをサーバ１に対して行う。この売却の申し込みに際しては、商品の情報（車両情報）がサーバ１に入力される。この車両情報としては、メーカー名、型式、車名、グレード、形状、用途、外装色、カラーＮｏ、内装色、車体番号、排気量、車検期間、走行距離、使用燃料種別、シフト、装備、納車可能日、オークション出品時の開始価格（入札最低価格）、セールスポイント、写真（外観写真や車内写真）、検査情報等を入力する。サーバ１の制御部１１は、この車輌情報と、この販売者の会員番号又は販売者名、並びにこの車両を管理するための車両管理番号とを対応づけて記憶装置１４の車両情報データベースに登録する（ステップ１０１）。
【００３８】
なお、この車輌情報の入力は、本システムを運営する運営会社に所定の書類を郵送し、運営会社側の端末にて入力するようにしても良い。
この出品の申込み時には、制御部１１は出品可能なオークションの情報を出品者の端末３に通知し、この画面上に表示させて当該車輌を出品するオークション（オークション会場名及び開催日時や種目を特定する開催番号等）を出品者に選択させる。この選択結果は、車両情報毎に記憶装置１４に記憶しておく（ステップ１０２）。なお、出品者が予めオークションの開催情報を知っている場合には、車両情報と共にオークション名等をサーバ１に通知し、制御部１１がこれを読み取って記憶装置１４に記憶し、出品者にオークション情報をその都度通知しなくても良い。
【００３９】
そして、選択されたオークションを開催するオークション会場の端末５又はオークションの主催者に、このオークションへ出品する旨と車両情報及び出品者の情報を送信する。
【００４０】
また、この商品情報の登録の際には、公開開始日及び終了日が制御部１１にて計算され、記憶装置１４に登録される。この公開開始日は、登録日を基準にして計算しても良い。若しくは当該車両を出品するオークションの開催日から逆算し、開催日前週の月曜日から金曜日迄等として計算しても良い。なお、本例では、登録日からオークション前日迄のあいだ公開している。
【００４１】
〈入札の申込み〉
一方、車両の出品情報を公開するため、サーバ１は購買者に対して検索サービスを提供する。検索サービスは一般のオンライン中古車検索システムと同様に、購買者が、購買者端末４を介してサーバ１にアクセスし、車名やグレード、排気量等をキーワードにして記憶装置１４の車両情報データベースを検索するように構成すればよい。
【００４２】
前記車両情報データベースの検索により、車両が特定された場合には、当該車両の車両情報を購買者端末４へ送信する（ステップ１０３）。図３はこのとき購買者端末４に送信される情報の一例を表す図であり、ＨＴＭＬによって形成された画面フォームを示している。このとき同画面フォームには、公開期間経過後に当該車輌が出品されるオークションのデータが合わせて示される。
【００４３】
購買者が、参照した車両の入札を希望する場合には、この画面上の会員番号欄と入札価格欄を入力して「入札」ボタンを押す。これにより購買者端末４は、サーバ１に対して入札を通知し、制御部１１（事前入札受付手段１ｈ）がこれを受け付け、この車両管理番号、入札日、入札価格、会員番号等の事前入札データを記憶装置１４内の事前入札データベースに記憶する（ステップ１０４、ステップ１０５）。
【００４４】
そして、サーバ１は、１日毎に車両情報データベースを検査し、公開終了日となった車両があれば、公開を終了して最高価格（最高応札限度価格）を提示した事前入札データを特定する（ステップ１０６、ステップ１０７）。さらにサーバ１は、当該車両が出品されるオークション会場のオークション端末５にこの事前入札データを通知する（ステップ１０８）。
【００４５】
〈オークション〉
オークション会場の管理装置は、サーバ１から通知された車両情報を会場ディスプレイ等（表示手段５ｂ）に表示し、オークション開始価格を初期値としてオークションが実施される。
【００４６】
競りあげが行われるごとに、管理装置の制御部（応札受付手段５ｃ）で応札を受け付け、最高価格（競り価格）が更新され、会場ディスプレイに表示される。
この際、オークション端末５には、競り上げの単位価格（例えば３０００円）が記憶されており、オークション端末５の制御部は、事前入札データの応札限度価格の範囲内において、オークション会場における競り価格に対して応札を繰り返す。
【００４７】
そして、事前入札データをもってする応札が会場における最終応札となれば、事前入札者が落札することとなり、競り価格が事前入札データの応札限度価格を超えた場合には、事前入札者は落札できなかったこととなる。このオークションの結果は、オークション端末５からサーバ１に通知される（ステップ１０９）。
【００４８】
〈事前入札情報の編集及び公開〉
次にサーバ１の制御部１１は、記憶装置１４内の事前入札データベースを検索して、当該出品車に対する非落札の入札データを抽出して記憶装置１４内に非落札データベースを構築する。このとき、最高応札限度価格にて申し込んだ事前入札者が落札していれば、その事前入札者のみを除外した入札データを抽出するこことなり、落札していなければ、最高応札限度価格にて申し込んだ事前入札者を含めた入札データを抽出するこことなる。そして制御部１１はさらに、この抽出した入札データのうち、上位所定数（例えば５件）の高額な応札限度価格を抽出する（ステップ１１０）。さらに、制御部１１は、ステップ１１０にて抽出した上位所定数の応札限度価格の最高額と最低額による価格範囲を設定し（ステップ１１１）、この価格範囲情報とオークション出品車両情報（例えば図３に示す情報）を公開情報（出品者用公開情報）として通信回線２を介して予め会員となっている出品者端末３に送信する（ステップ１１２）。
【００４９】
〈公開情報に対する車両提供情報の受付〉
ステップ１１２にて送信した公開情報を認識した出品者（車両提供者）が、当該公開情報における車両と同様な車両を、当該公開情報における価格範囲にて売却余地がある場合は、サーバ１に車両提供情報として送信し、サーバ１はこの車両提供情報を受け付ける（ステップ１１３、ステップ１１４）。
【００５０】
なお、ステップ１１２における公開情報の送信にあたっては、会員である出品者端末３への直接送信に限らず、サーバ１をインターネットと接続されたＷｅｂサーバとして、ＷＷＷ(World Wide Web)上のホームページで商品情報等を公開してもよい。さらに、公開情報を出版物に掲載し、頒布するようにしてもよい。
【００５１】
サーバ１は、公開情報の公開開始から所定の期間を経過した場合、あるいは所定数の車両提供情報を受け付けた場合は、受付を終了する（ステップ１１５）。
【００５２】
〈売買当事者の決定〉
次に、サーバ１は、受付けた車両提供情報毎に、車両評価値を設定する（ステップ１１６）。この車両評価値の設定にあたっては、管理者側が車両提供情報毎の実車を検分して評価を行っても良いし、車両提供者側にて作成した図３に示すような車両情報に基づき評価を行っても良い。
【００５３】
そしてサーバ１の制御部１１は、車両評価値が規定値以上の車両提供情報を抽出する（ステップ１１７）。このステップ１１７においては、制御部１１は、当初の出品（落札された車両）になされていた評価値を規定値として、車両提供情報の抽出を行う。なお、車両評価値は、車両の走行距離、年式、ボディの損傷、整備状態等のデータに基づき行われる。
【００５４】
次に、サーバ１は、ステップ１１７にて抽出した車両提供情報を非落札の事前入札者（購買者端末４）に送信する（ステップ１１８）。
そして、サーバ１は、所定の期間（例えば１日）は応札限度価格が高額であった事前入札者側からの購入申込を受付ける等、高額事前入札者からの受け付けを他の事前入札者に優先して受け付ける（ステップ１１９）。この所定の期間内に購入申込みがあれば、その申込みにて売買当事者（車両提供者及び購買者）を決定し、所定の期間経過後に未だ提供車両が残っている場合は、他の事前入札者からの申込みを受け付けて、売買当事者を決定する（ステップ１２０）。
【００５５】
以上のように本実施形態のオンライン取引支援方法及び支援システムによれば、従来何らの手当てもされていなかった、落札漏れの入札者の情報を活用して、商品ニーズを具体的な購入可能価格を提示しつつ、広く商品提供者に訴えることができる。したがって、落札不可の入札者も、希望する商品を購入する機会が増え、商品流通を促進させることができる。
【００５６】
なお、事前入札制度によると、実際のオークションにおける落札価格よりも高い応札限度価格を提示したものの、商品を購入できない事前入札者が発生する場合がある。而して、本実施形態のオンライン取引支援方法及び支援システムによれば、商品提供者に、オークションにおける落札価格よりも高額な購入予定価格を提示する態様も現出し、商品提供者は、より高額に商品を販売する機会が得られる。また、購買者にあっても、元々の購入予定価格内にて、必要な商品を容易に得ることができる。
【００５７】
そして、前記ステップ１１２では、車両購入予定価格に範囲を設定したが、これは、複数の車両提供があった場合に、必ずしも全ての車両が最高応札限度価格にて購入されないためである。しかし、公開情報としては、最高応札限度価格のみを購入価格として提示してもよい。
【００５８】
また、ステップ１２０における売買当事者の決定に際しては、事前入札者のうち、高額な応札限度価格を設定した入札者を優先的に扱わず、当該事前入札者を新たな参加者として、オークションを行い、売買当事者を決定してもよい。
【００５９】
また、より高額な事前入札者と、より評価値の高い商品提供者（車両提供情報）とを、それぞれ順番に一対一にて結びつけて、売買当事者の仮決定を行い、商談を進めるようにしてもよい。さらに、評価値の設定にあたっては、購買者（事前入札者）の所在地が車両提供者の所在地（車両の保管地）と近い場合には、当該購買者用の評価点としてのみは、近隣加算点を加えて評価するようにしてもよい。
【００６０】
さらに、サーバ１は、インターネットを介して出品者端末３、購買者端末４、オークション端末５と取引きを行うものであっても良い。
【００６１】
【発明の効果】
以上のように本発明によれば、オークションの実施にあたって得られた商品購入希望者の情報を有効に活用することができる。
【００６２】
また、本発明によれば、具体的に特定される商品の売買機会を増加させて、商品の流通を促進させることができる。
【図面の簡単な説明】
【図１】  本発明一実施形態を示す概略構成図
【図２】  実施形態におけるサーバの構成を示す図
【図３】  商品情報等の表示例を示す図
【図４】  サーバにおける処理過程を示す図
【符号の説明】
１ サーバ
１ａ 第１売却受付手段
１ｂ 情報入力手段
１ｃ オークション選択手段
１ｄ 購買者用情報公開手段
１ｅ 事前入札受付手段
１ｇ 情報記憶手段
１ｈ 事前入札受付手段
１ｉ 第２売却受付手段
２ 通信回線（公衆電話回線、インターネット）
３ 出品者端末
４ 購買者端末
５ オークション端末
１１  制御部
１４  記憶装置
【図１】
0005016169.tif 000002
【図２】
0005016169.tif 000003
【図３】
0005016169.tif 000004
【図４】
0005016169.tif 000005